(57)【特許請求の範囲】
【請求項１】
第１生地と、
前記第１生地と向か合うように配置され、縫い目部において前記第１生地に縫い合わされた第２生地と、
前記縫い目部を挟んで一方と他方とにそれぞれ位置する前記第１生地と前記第２生地との間の領域に収容された羽毛と、
前記縫い目部に沿って延在し、前記縫い目部において、前記第１生地と前記第２生地との間に挟み込まれた状態で、前記第１生地および前記第２生地とともに縫い合わされた帯状部材と
を備え、
前記帯状部材は、収容された前記羽毛を捉えるトラップ部を有し、
前記トラップ部は、前記帯状部材における前記第１生地と対向する側と、前記第２生地と対応する側との双方に形成されている、羽毛入り製品。
【請求項２】
前記帯状部材は、前記トラップ部として、表面から突出した毛羽立ち部を有する、請求項１記載の羽毛入り製品。
【請求項３】
前記帯状部材は、網目を構成する二方向に延在する繊維を含み、
前記帯状部材は、前記トラップ部として、前記二方向のそれぞれが、前記帯状部材が延在する方向と交差する態様で前記繊維が延在するバイアス部を有する、請求項１記載の羽毛入り製品。
【請求項４】
前記帯状部材は、前記トラップ部として、編み物の網目部を有する、請求項１記載の羽毛入り製品。
【請求項５】
第１生地および第２生地を用意する工程と、
前記第１生地と前記第２生地との間に挟み込まれることになる帯状部材を用意する工程と、
前記第１生地において、前記第１生地と前記第２生地とが縫い合わされる縫い目部に沿って、前記帯状部材を配置する工程と、
前記帯状部材を覆うように、前記第１生地の上に前記第２生地を配置する工程と、
前記縫い目部に沿って、前記第１生地および前記第２生地を前記帯状部材とともに縫い合わせる工程と、
前記縫い目部を挟んで一方と他方とにそれぞれ位置する前記第１生地と前記第２生地との間の領域に羽毛を収容する工程と
を備え、
前記帯状部材を用意する工程では、前記第１生地と前記第２生地との間の前記領域に収容された前記羽毛を捉えるトラップ部を、前記第１生地と対向する側と、前記第２生地と対向する側との双方に備えた前記帯状部材が用意される、羽毛入り製品の製造方法。
【請求項６】
前記帯状部材を用意する工程では、前記トラップ部として、表面から突出した毛羽立ち部を有する前記帯状部材が用意される、請求項５記載の羽毛入り製品の製造方法。
【請求項７】
前記帯状部材を用意する工程では、網目を構成する二方向に延在する繊維を含み、前記トラップ部として、前記二方向のそれぞれが、前記帯状部材が延在する方向と交差する態様で前記繊維が延在するバイアス部を有する前記帯状部材が用意される、請求項５記載の羽毛入り製品の製造方法。
【請求項８】
前記帯状部材を用意する工程では、前記トラップ部として、編み物の網目部を備えた前記帯状部材が用意される、請求項５記載の羽毛入り製品の製造方法。
【発明の詳細な説明】
【技術分野】
【０００１】
本発明は、羽毛入り製品およびその製造方法に関し、特に、縫い目からの羽毛の抜け出しが抑制される羽毛入り製品と、そのような羽毛入り製品の製造方法とに関する。
【背景技術】
【０００２】
従来より、たとえば、ダウンジャケット、羽毛布団、ブーツ等、表生地と裏生地との間に、ダウンまたはフェザー等が収容された羽毛入り製品がある。このような羽毛入り製品では、表生地と裏生地とが縫い合わされた縫い目の針穴から、羽毛が表生地または裏生地の表面に抜け出てしまうことがある。このような羽毛が抜け出るのを防止するために、種々の提案がなされている（たとえば、特許文献１および特許文献２）。
【先行技術文献】
【特許文献】
【０００３】
【特許文献１】特開２０１９−１１８８０１号公報
【特許文献２】実開平０１−０７２１７０号公報
【発明の概要】
【発明が解決しようとする課題】
【０００４】
上述したように、従来より、羽毛入り製品では、羽毛の抜け出しに対して、種々の対策が講じられてきている。
【０００５】
本発明は、そのような羽毛製品からの羽毛の抜け出しに対してさらなる改善を提案するものであり、一つの目的は、羽毛入り製品から羽毛が抜け出るのをより確実に防止する羽毛入り製品を提供することであり、他の目的は、そのような羽毛入り製品の製造方法を提供することである。
【課題を解決するための手段】
【０００６】
本発明に係る羽毛入り製品は、第１生地と第２生地と羽毛と帯状部材とを備えている。第２生地は、第１生地と向か合うように配置され、縫い目部において第１生地に縫い合わされている。羽毛は、縫い目部を挟んで一方と他方とにそれぞれ位置する第１生地と第２生地との間の領域に収容されている。帯状部材は、縫い目部に沿って延在し、縫い目部において、第１生地と第２生地との間に挟み込まれた状態で、第１生地および第２生地とともに縫い合わされている。帯状部材は、収容された羽毛を捉えるトラップ部を有する。トラップ部は、帯状部材における第１生地と対向する側と、第２生地と対応する側との双方に形成されている。
【０００７】
より具体的に、帯状部材は、トラップ部として、表面から突出した毛羽立ち部を有していることが好ましい。また、帯状部材は、網目を構成する二方向に延在する繊維を含み、帯状部材は、トラップ部として、二方向のそれぞれが、帯状部材が延在する方向と交差する態様で繊維が延在するバイアス部を有していてもよい。さらに、帯状部材は、トラップ部として、編み物の網目部を有していてもよい。
【０００８】
本発明に係る羽毛入り製品の製造方法は、以下の工程を備えている。第１生地および第２生地を用意する。第１生地と第２生地との間に挟み込まれることになる帯状部材を用意する。第１生地において、第１生地と第２生地とが縫い合わされる縫い目部に沿って、帯状部材を配置する。帯状部材を覆うように、第１生地の上に第２生地を配置する。縫い目部に沿って、第１生地および第２生地を帯状部材とともに縫い合わせる。縫い目部を挟んで一方と他方とにそれぞれ位置する第１生地と第２生地との間の領域に羽毛を収容する。帯状部材を用意する工程では、第１生地と第２生地との間の領域に収容された羽毛を捉えるトラップ部を、第１生地と対向する側と、第２生地と対向する側との双方に備えた帯状部材が用意される。
【０００９】
より具体的に、帯状部材を用意する工程では、トラップ部として、表面から突出した毛羽立ち部を有する帯状部材が用意されることが好ましい。また、帯状部材を用意する工程では、網目を構成する二方向に延在する繊維を含み、トラップ部として、二方向のそれぞれが、帯状部材が延在する方向と交差する態様で繊維が延在するバイアス部を有する帯状部材が用意されてもよい。さらに、帯状部材を用意する工程では、トラップ部として、編み物の網目部を備えた帯状部材が用意されてもよい。
【発明の効果】
【００１０】
本発明に係る羽毛入り製品によれば、第１生地と第２生地との縫い目部に、羽毛を捉えるトラップ部を有する帯状部材が縫い合わされていることで、縫い目部から羽毛が抜け出てしまうのをより確実に防止することができる。
【００１１】
本発明に係る羽毛入り製品の製造方法によれば、第１生地と第２生地との縫い目部に、羽毛を捉えるトラップ部を有する帯状部材を縫い合わせることで、縫い目部から羽毛が抜け出てしまうのをより確実に防止することができる。
【図面の簡単な説明】
【００１２】
【図１】実施の形態に係る羽毛入り製品の一例としてのダウンジャケットの構成を概略的に示す図である。
【図２】同実施の形態において、図２に示される断面線ＩＩ−ＩＩにおける部分断面斜視図である。
【図３】同実施の形態において、帯状部材の構造を模式的に示す部分拡大斜視図である。
【図４】同実施の形態において、ダウンジャケットの製造方法の一工程を示す斜視図である。
【図５】同実施の形態において、図４に示す工程の後に行われる工程を示す斜視図である。
【図６】同実施の形態において、図５に示す工程の後に行われる工程を示す斜視図である。
【図７】同実施の形態において、図６に示す工程の後に行われる工程を示す部分断面斜視図である。
【図８】比較例に係るダウンジャケットの部分断面斜視図である。
【図９】比較例に係るダウンジャケットの問題点を説明するための部分拡大断面斜視図である。
【図１０】同実施の形態において、ダウンジャケットの作用効果を説明するための部分拡大断面斜視図である。
【図１１】同実施の形態において、一変形例に係る帯状部材の構造を模式的に示す部分拡大斜視図である。
【図１２】同実施の形態において、他の変形例に係る帯状部材の構造を模式的に示す部分拡大斜視図である。
【発明を実施するための形態】
【００１３】
実施の形態に係る羽毛入り製品とその製造方法とについて説明する。まず、羽毛入り製品の一例として、ここでは、ダウンジャケットについて説明する。図１に示すように、ダウンジャケット１は、主に、ジャケット本体３と、ジャケット本体３に縫製された袖５、７とから構成されている。ジャケット本体３は、主に、右前身頃９、左前身頃１１および後身頃（図示せず）から構成されている。右前身頃９、左前身頃１１および後身頃は、それぞれ所定の箇所で縫製されている。
【００１４】
ダウンジャケット１では、ジャケット本体３および袖５、７等に、ダウンまたはフェザー等の羽毛が収容されている。ここで、羽毛が収容された部分の構造の一例として、袖５、７の構造について、説明する。
【００１５】
図２に示すように、袖５（袖７、ダウンジャケット１）は、表生地２１（第２生地）、裏生地２３（第１生地）および羽毛２９に加えて、帯状部材２７を有している。表生地２１と裏生地２３とは向かい合うように配置されて、縫い目部２５において縫い合わされている。縫い目部２５を挟んで、一方と他方とにそれぞれ位置する表生地２１の部分と裏生地２３の部分との間の領域に、羽毛２９が収容されている。
【００１６】
縫い目部２５では、帯状部材２７が、縫い目部２５に沿って延在し、表生地２１と裏生地２３との間に挟み込まれている。帯状部材２７は、表生地２１と裏生地２３との間に挟み込まれた状態で、表生地２１および裏生地２３とともに縫い合わされている。図３に示すように、帯状部材２７は、収容された羽毛２９を捉えるトラップ部として、たとえば、帯状部材２７の表面から突出した毛羽立ち部２７ａを有している。
【００１７】
毛羽立ち部２７ａの突出態様としては、たとえば、繊維等が、帯状部材２７の表面から直線状に突出した態様でもよい。また、そのような繊維等の先端が、カギ状になっていてもよい。さらに、帯状部材２７の表面から突出した繊維が、再び帯状部材２７に接続されて、ループ状になっていてもよく、毛羽立ち部２７ａ（トラップ部）として、表生地２１と裏生地２３との間に挟み込まれた状態で羽毛２９を捉えることができれば、特に制約はない。
【００１８】
図２では、帯状部材２７は、毛羽立ち部２７ａが表生地２１に対向するように配置されている状態が示されているが、毛羽立ち部２７ａが裏生地２３に対向するように配置されていてもよい。また、帯状部材２７として、毛羽立ち部２７ａが表生地２１と裏生地２３との双方に対向する帯状部材を適用してもよい。なお、帯状部材２７は、袖５、７の他に、ジャケット本体３等にも配置されている。実施の形態に係る羽毛入り製品としてのダウンジャケットは、上記のように構成される。
【００１９】
次に、上述したダウンジャケット１の製造方法に一例について説明する。ここでは、代表的に袖の部分の製造方法について説明する。
【００２０】
まず、袖となるパターンにそれぞれ裁断された裏生地２３と表生地２１とを用意する（図４参照）。次に、図４に示すように、裏生地２３と表生地２１とを、パターンシーマ４１における所定の位置に載置して貼り付ける。
【００２１】
次に、図５に示すように、たとえば、裏生地２３において、裏生地２３と表生地２１とが縫い合わされることになる縫い目部に沿って、帯状部材２７を配置する。次に、パターンシーマの中央からパターンシーマを畳み込み、表生地２１が裏生地２３と向かい合うように、裏生地２３の上に表生地２１を配置する。
【００２２】
次に、図６に示すように、表生地２１と裏生地２３との間に帯状部材２７を挟み込んだ状態で縫製することによって、帯状部材２７を表生地２１および裏生地２３とともに縫い合わせる。この場合、表生地２１および裏生地２３の短手方向に沿って縫製することによって、短手方向に縫い目部が形成される。さらに、同様の縫製を行うことによって、短手方向に延在する縫い目部が、長手方向に間隔を隔てて複数形成される。
【００２３】
次に、図７に示すように、一つの縫い目部２５を挟んで一方と他方とにそれぞれ位置する表生地２１の部分と裏生地２３の部分との間の領域に羽毛２９を収容する。次に、表生地２１および裏生地２３の長手方向の端部同士を縫製することによって、袖５、７（図１参照）の部分がパーツとして完成する。
【００２４】
ジャケット本体３（図１参照）についても、表生地２１および裏生地２３のパターンが、袖となる表生地２１および裏生地２３のパターンと異なるだけで、袖５、７を製造する工程と実質的に同じ工程によって製造される。ジャケット本体３がパーツとして完成した後、そのジャケット本体３に袖５、７等を縫製することによって、図１に示すダウンジャケット１が完成する。
【００２５】
上述したダウンジャケット１では、表生地２１と裏生地２３との縫い目部２５に、毛羽立ち部２７ａを有する帯状部材２７が縫い合わされていることで、縫い目部２５から羽毛２９が抜け出てしまうのを防止することができる。これについて、比較例に係るダウンジャケットと比べて説明する。なお、比較例に係るダウンジャケットにおいて、実施の形態に係るダウンジャケットの構成と同一の部材については同一符号を付し、必要である場合を除きその説明を繰り返さないこととする。
【００２６】
図８に示すように、比較例に係るダウンジャケット１０１では、表生地２１と裏生地２３とが向かい合うように配置された状態で縫製された縫い目部２５では、表生地２１と裏生地２３とが直接接している。縫い目部２５を挟んで、一方と他方とにそれぞれ位置する表生地２１の部分と裏生地２３の部分との間の領域に、羽毛２９が収容されている。
【００２７】
このように、比較例に係るダウンジャケット１０１の縫い目部２５では、表生地２１と裏生地２３とが直接接した状態で縫製されている。このため、図９に示すように、表生地２１の部分と裏生地２３の部分との間の領域に収容された羽毛２９の一部（羽毛２９ａ）が、縫製を行う際に形成される縫い目部２５の針穴３３から抜け出やすくなる。なお、図９では、抜け出た羽毛２９ａが誇張されて示されている。
【００２８】
比較例に係るダウンジャケット１０１に対して、図１０に示すように、実施の形態に係るダウンジャケット１の縫い目部２５では、表生地２１と裏生地２３との間に帯状部材２７が挟み込まれた状態で縫い合わされている。帯状部材２７には、繊維を毛羽立たせた毛羽立ち部２７ａが設けられている。これにより、表生地２１の部分と裏生地２３の部分との間の領域に収容された羽毛２９が、毛羽立ち部２７ａに捉えられて、縫い目部２５の針穴３３から抜け出るのを防止することができる。
【００２９】
発明者らは、羽毛の抜け出しについて、ボーケン法による中綿吹き出し試験を行った。中綿吹き出し試験は、織物および編物のピリング試験方法（ＪＩＳ  Ｌ  １０７６）に準拠した試験方法である。この試験方法は、中綿（羽毛）を充填した試材を、ＩＣＩ型ピリングテスターを用いて、中綿（羽毛）の吹き出し状態を評価する方法である。
【００３０】
その試験方法について説明する。まず、試験の対象となる試材を、次のようにして作成した。２枚の側生地（サイズ：１１．５ｃｍ×１３．５ｃｍ）を用意し、その２枚の側生地を重ね合わせて、三辺（２つの長辺と一つの短辺）を縫い合わせた（縫い代：０．７ｃｍ）。三辺を縫い合わせた２枚の側生地を裏返し、その中に羽毛（３ｇ）を入れて、残りの一辺の側生地の端を折り込んで縫い合わせた。試材では、２枚の側生地を縫い合わせる部分に帯状部材を介在させた。
【００３１】
この試材を２個作成し、特殊ゴム管４本と一緒にＩＣＩ型ピリングテスターの回転箱の中に入れた。回転箱を１分間に６０回転の回転速度で１時間回転させた。この操作の後、試材（側生地）からの羽毛の吹き出し状態を評価した。その結果、試材（側生地）からの羽毛の吹き出しは認められないことがわかった。この評価結果により、帯状部材２７に設けらた毛羽立ち部２７ａに羽毛２９が捉えられて、縫い目部２５から羽毛２９が抜け出るのを確実に防止できることが実証された。
【００３２】
なお、上述した帯状部材２７のトラップ部として、表面から突出した毛羽立ち部２７ａを例に挙げて説明した。帯状部材２７のトラップ部としては、羽毛を捉えて保持することができれば、毛羽立ち部２７ａに限られない。
【００３３】
図１１に示すように、トラップ部として、たとえば、網目を構成する二方向に延在する繊維を含み、その二方向が、帯状部材２７が延在する方向と交差する態様で繊維が延在するバイアス部２７ｂであってもよい。このようなバイアス部２７ｂを有する帯状部材２７では、バイアス部２７ｂを構成する繊維と繊維との間に羽毛２９が捉えられて、羽毛２９が縫い目部２５（図１０参照）から抜け出るのを防止することができる。
【００３４】
また、図１２に示すように、トラップ部として、たとえば、編み物の網目部２７ｃであってもよい。このような、網目部２７ｃを有する帯状部材２７では、網目部２７ｃに羽毛２９が捉えられて、羽毛２９が縫い目部２５（図１０参照）から抜け出るのを防止することができる。
【００３５】
また、羽毛入り製品として、ダウンジャケットを例に挙げて説明した。羽毛入り製品としてはダウンジャケットに限られず、たとえば、羽毛布団、ブーツ等、一方の生地と他方の生地との間に羽毛を収容した製品に広く適用することができる。
【００３６】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００３７】
本発明は、羽毛を収容した羽毛入り製品に有効に利用される。
【符号の説明】
【００３８】
１  ダウンジャケット、３  ジャケット本体、５  袖、７  袖、９  右前身頃、１１  左前身頃、２１  表生地、２３  裏生地、２５  縫い目部、２７  帯状部材、２７ａ  毛羽立ち部、２７ｂ  バイアス部、２７ｃ  網目部、２９  羽毛、３３  針穴、４１  パターンシーマ。
【要約】
【課題】羽毛入り製品から羽毛が抜け出るのをより確実に防止する羽毛入り製品と、その製造方法とを提供する。
【解決手段】ダウンジャケット１は、表生地２１、裏生地２３および羽毛２９に加えて、帯状部材２７を有している。帯状部材２７は、縫い目部２５に沿って延在し、表生地２１と裏生地２３との間に挟み込まれた状態で、表生地２１および裏生地２３とともに縫い合わされている。帯状部材２７は、収容された羽毛２９を捉えるトラップ部として、帯状部材２７の表面から突出した毛羽立ち部２７ａを有している。
【選択図】図２【図１】
0006754509.tif 000002
【図２】
0006754509.tif 000003
【図３】
0006754509.tif 000004
【図４】
0006754509.tif 000005
【図５】
0006754509.tif 000006
【図６】
0006754509.tif 000007
【図７】
0006754509.tif 000008
【図８】
0006754509.tif 000009
【図９】
0006754509.tif 000010
【図１０】
0006754509.tif 000011
【図１１】
0006754509.tif 000012
【図１２】
0006754509.tif 000013